(57)【要約】【課題】携帯情報端末の使用者が、特定の時刻間、何処で、どのような行動を、どのような環境で行っていたのかを客観的に証明することができる行動／環境証明システムを提供することにある。【解決手段】使用者の指を検知し、時刻ｔ１〜ｔ２の間の検知結果を生成する検知部１１と、指の指紋を読み取り、時刻ｔ１とｔ２の指紋データを生成する読取部１２と、指紋データを照合して認証結果を生成する照合部１３と、時刻ｔ１とｔ２の測位データを取得するＧＰＳ受信部３ａと、時刻ｔ１〜ｔ２の間の振動データを生成する加速度測定部３ｂと、時刻ｔ１〜ｔ２の間の音声データを生成する音声取得部３ｄと、時刻ｔ１〜ｔ２の間の温湿度データを生成する温湿度測定部３ｅと、時刻ｔ１〜ｔ２の間の気圧データを測定する気圧測定部３ｆと、測定したデータに基づいて、時刻ｔ１とｔ２の使用者の所在地を証明し、時刻ｔ１〜ｔ２の間における使用者の行動を証明し、時刻ｔ１からｔ２の周囲の環境を証明する証明部５とを具備する。【選択図】図１
2010239402.tif 000002
【特許請求の範囲】
【請求項１】
時刻ｔ１から時刻ｔ２の間における、使用者の情報を取得する携帯情報端末と、
ネットワークを介して前記使用者の情報を前記携帯情報端末から取得する管理サーバと
を具備し、
前記携帯情報端末は、
前記使用者の指を検知し、前記時刻ｔ１から前記時刻ｔ２の間の第１検知結果を生成する検知部と、
前記指の指紋を読み取り、前記時刻ｔ１の第１指紋データと、前記時刻ｔ２の第２指紋データとを生成する読取部と、
前記第１指紋データと予め格納されている第３指紋データとを照合し、前記時刻ｔ１の第１認証結果を生成し、前記第２指紋データと前記第３指紋データとを照合し、前記時刻ｔ２の第２認証結果を生成する照合部と、
前記携帯情報端末の前記時刻ｔ１の第１測位データと、前記時刻ｔ２の第２測位データとを、ＧＰＳ衛星から取得するＧＰＳ受信部と、
前記携帯情報端末の振動の大きさ及び振動の回数を測定し、前記時刻ｔ１から前記時刻ｔ２の間の振動データを生成する加速度測定部と、
前記携帯情報端末の周囲の音を測定し、前記時刻ｔ１から前記時刻ｔ２の間の音声データを生成する音声取得部と、
前記携帯情報端末の周囲の温湿度を測定し、前記時刻ｔ１から前記時刻ｔ２の間の温湿度データを生成する温湿度測定部と、
前記携帯情報端末の周囲の気圧を測定し、前記時刻ｔ１から前記時刻ｔ２の間の気圧データを生成する気圧測定部と、
前記使用者の情報である、前記第１検知結果と、前記第１指紋データと、前記第２指紋データと、前記第１認証結果と、前記第２認証結果と、前記第１測位データと、前記第２測位データと、前記振動データと、前記音声データと、前記温湿度データと、前記気圧データとを格納する記憶部と、
前記第１認証結果と、前記第２認証結果と、前記第１測位データと、前記第２測位データとに基づいて、前記時刻ｔ１及び前記時刻ｔ２の前記使用者の所在地を証明し、前記第１認証結果と、前記第２認証結果と、前記音声データと、前記温湿度データと、前記気圧データとに基づいて、前記時刻ｔ１から前記時刻ｔ２の間の前記使用者の周囲の環境を証明し、前記第１検知結果と、前記第１指紋データと、前記第２指紋データと、前記振動データとに基づいて、前記時刻ｔ１から前記時刻ｔ２の間における前記使用者の行動を証明する証明部と、
前記使用者の情報を前記管理サーバへ送信する通信部と
を具備する
行動／環境証明システム。
【請求項２】
請求項１に記載の行動／環境証明システムであって、
前記証明部は、動きと、動きに伴う振動とを関連付けた動きデータを参照して、前記振動データに対応する前記携帯情報端末の第１の動きを判定し、前記第１検知結果と、前記第１指紋データと、前記第２指紋データとに基づいて、前記第１の動きをしている前記携帯情報端末を前記使用者が持ち続けていたことを判定する
行動／環境証明システム。
【請求項３】
請求項２に記載の行動／環境証明システムであって、
前記証明部は、前記第１検知結果に基づいて、前記使用者が前記携帯情報端末に触れ続けていたことを判定し、前記第１指紋データと前記第２指紋データとに基づいて、触れている前記指が動いていないことを判定し、２つの判定結果に基づいて前記携帯情報端末を前記使用者が持ち続けていたことを判定する
行動／環境証明システム。
【請求項４】
請求項３に記載の行動／環境証明システムであって、
前記証明部は、前記第２指紋データを前記第１指紋データに重ね合わせるための平行移動距離と、回転角とを算出し、算出した値と所定の範囲とを比較して、前記使用者の指が動いていないことを判定する
行動／環境証明システム。
【請求項５】
請求項１乃至４の何れか一項に記載の行動／環境証明システムであって、
前記使用者の入力に基づいて、前記時刻ｔ１及び前記時刻ｔ２のぞれぞれで、トリガー信号を出力するトリガースイッチ部
を更に具備し、
前記トリガー信号に基づいて、前記読取部は前記第１指紋データと前記第２指紋データとを生成し、前記ＧＰＳ受信部は前記第１測位データと前記第２測位データとを取得し、前記加速度測定部は前記振動データを生成し、前記音声取得部は前記音声データを生成し、前記温湿度測定部は前記温湿度データを生成し、前記気圧測定部は前記気圧データを生成する
行動／環境証明システム。
【請求項６】
請求項１乃至５の何れか一項に記載の行動／環境証明システムであって、
前記管理サーバは、
前記使用者の情報を格納するサーバ記憶部と、
前記第１認証結果と、前記第２認証結果と、前記第１測位データと、前記第２測位データとに基づいて、前記時刻ｔ１及び前記時刻ｔ２の前記使用者の所在地を証明し、前記第１認証結果と、前記第２認証結果と、前記音声データと、前記温湿度データと、前記気圧データとに基づいて、前記時刻ｔ１から前記時刻ｔ２の間の前記使用者の周囲の環境を証明し、前記第１検知結果と、前記第１指紋データと、前記第２指紋データと、前記振動データとに基づいて、前記時刻ｔ１から前記時刻ｔ２の間における前記使用者の行動を証明するサーバ証明部と、
前記時刻ｔ１及び前記時刻ｔ２の前記使用者の前記所在地と、前記時刻ｔ１から前記時刻ｔ２の間の前記使用者の周囲の環境と、前記時刻ｔ１から前記時刻ｔ２の間における前記使用者の行動とを、前記携帯情報端末へ送信するサーバ通信部と
を備える
行動／環境証明システム。
【請求項７】
請求項１乃至６の何れか一項に記載の行動／環境証明システムで使用される
携帯情報端末。
【請求項８】
請求項１乃至６の何れか一項に記載の行動／環境証明システムで使用される
管理サーバ。
【請求項９】
時刻ｔ１において、携帯情報端末を操作する使用者の指を検知するステップと、
前記指の検知に基づいて、前記時刻ｔ１から検知結果の生成を開始するステップと、
前記使用者の入力に基づき、前記時刻ｔ１の第１トリガー信号を出力するステップと、
前記第１トリガー信号に基づき、前記指の指紋を読み取り、前記時刻ｔ１の第１指紋データを生成するステップと、
前記第１指紋データと予め格納されている第３指紋データとに基づき、前記第１指紋データの第１認証結果を生成するステップと、
前記第１トリガー信号に基づき、前記携帯情報端末の前記時刻ｔ１の第１測位データを、ＧＰＳ衛星から取得するステップと、
前記第１トリガー信号に基づき、前記携帯情報端末の振動の大きさ及び振動の回数である振動データの生成を、前記時刻ｔ１から開始するステップと、
前記第１トリガー信号に基づき、携帯情報端末の周囲の音に基づく音声データの生成を、前記時刻ｔ１から開始するステップと、
前記第１トリガー信号に基づき、前記携帯情報端末の周囲の温湿度に基づく温湿度データの生成を、前記時刻ｔ１から開始するステップと、
前記第１トリガー信号に基づき、前記携帯情報端末の周囲の気圧に基づく気圧データの生成を、前記時刻ｔ１から開始するステップと、
前記使用者の入力に基づき、時刻ｔ２の第２トリガー信号を出力するステップと、
生成している前記検知結果から、前記時刻ｔ１から前記時刻ｔ２までの前記第１検知結果を抽出するステップと、
前記第２トリガー信号に基づき、前記指の指紋を読み取り、前記時刻ｔ２の第２指紋データを生成するステップと、
前記第２指紋データと前記第３指紋データとに基づき、前記第２指紋データの第２認証結果を生成するステップと、
前記第２トリガー信号に基づき、前記携帯情報端末の前記時刻ｔ２の第２測位データを、前記ＧＰＳ衛星から取得するステップと、
前記第２トリガー信号に基づき、前記時刻ｔ２において前記振動データの生成を終了するステップと、
前記第２トリガー信号に基づき、前記時刻ｔ２において前記音声データの生成を終了するステップと、
前記第２トリガー信号に基づき、前記時刻ｔ２において前記温湿度データの生成を終了するステップと、
前記第２トリガー信号に基づき、前記時刻ｔ２において前記気圧データの生成を終了するステップと、
前記第１認証結果と、前記第２認証結果と、前記第１測位データと、前記第２測位データとに基づいて、前記時刻ｔ１及び前記時刻ｔ２の前記使用者の所在地を証明するステップと、
前記第１認証結果と、前記第２認証結果と、前記音声データと、前記温湿度データと、前記気圧データとに基づいて、前記時刻ｔ１から前記時刻ｔ２の間の前記使用者の周囲の環境を証明するステップと、
前記第１検知結果と、前記第１指紋データと、前記第２指紋データと、前記振動データとに基づいて、前記時刻ｔ１から前記時刻ｔ２の間における前記使用者の行動を証明するステップと、
前記第１検知結果と、前記第１指紋データと、前記第２指紋データと、前記第１認証結果と、前記第２認証結果と、前記第１測位データと、前記第２測位データと、前記振動データと、前記音声データと、前記温湿度データと、前記気圧データとを管理サーバへ送信するステップと、
を具備する
行動／環境証明方法。
【請求項１０】
請求項９に記載の行動／環境証明方法であって、
前記使用者の行動を証明するステップは、
動きと、動きに伴うデータとを関連付けた動きデータを参照して、前記振動データに対応する前記携帯情報端末の第１の動きを判定するステップと、
前記第１検知結果と、前記第１指紋データと、前記第２指紋データとに基づいて、前記第１の動きをしている前記携帯情報端末を前記使用者が持ち続けていたことを判定するステップと
を備える
行動／環境証明方法。
【請求項１１】
請求項１０に記載の行動／環境証明方法であって、
前記携帯情報端末を前記使用者が持ち続けていたことを判定するステップは、
前記第１検知結果に基づいて、前記使用者が前記携帯情報端末に触れ続けていたことを判定するステップと、
前記第１指紋データと前記第２指紋データとに基づいて、触れている前記指が動いていないことを判定するステップと
を含む
行動／環境証明方法。
【請求項１２】
請求項１１に記載の行動／環境証明方法であって、
触れている前記指が動いていないことを判定するステップは、
前記時刻ｔ２の指紋データを前記時刻ｔ１の指紋データに重ね合わせるための平行移動距離及び回転角を算出するステップと、
前記平行移動距離及び回転と、所定の範囲とを比較するステップと
を含む
行動／環境証明方法。
【請求項１３】
請求項９乃至１２の何れか一項に記載の方法をコンピュータに実行させる
行動／環境証明プログラム。
【発明の詳細な説明】
【技術分野】
【０００１】
本発明は、人の行動とその場の状況とを証明するシステムに関し、特に、携帯情報端末を用いる行動／環境証明システム、行動／環境証明方法及び行動／環境証明プログラムに関する。
【背景技術】
【０００２】
過去の特定時刻における、人の所在と人の行動とを証明する有効な方法の一つに、第３者の証言がある。しかし、第３者の証言は、第３者による偶然の目撃や第３者の善意に依存するため、証言として常に得られるとは限らない。そこで、第３者の証言に頼らず、特定時刻に特定場所に居た所在証明に関連する技術が、特許文献１及び特許文献２に開示されている。
【０００３】
特許文献１には、本人の所在証明が可能な携帯電話機に関する技術が開示されている。この携帯電話機は、本人であることを認証する生体情報を読み取る読取手段と、携帯電話機の存在する位置を検出する位置検出手段と、発信操作又は着信操作がされたときに読み取られた生体情報、検出された位置情報および計時された時刻を記録する記憶手段とを備えることを特徴とする。このような携帯電話機は、携帯電話機を操作する人が、何時、何処で、電話を掛けたか或いは電話を受けたかを証明することができるというものである。
【０００４】
特許文献２には、携帯情報端末を使用する者の本人認証と、使用者の時間的空間的な存在を証明する方法に関する技術が開示されている。この方法は、携帯情報端末に使用者が生体情報を入力することと、入力された生体情報の認証を行うことと、携帯情報端末を使用した時間と使用者の場所情報とを処理することと、生体情報と時間と場所情報とをネットワークを経由してサーバに格納することとを含む。このような方法は、携帯情報端末の使用者の本人認証と、使用者の時間的空間的な存在を担保する情報を保存することが可能になるというものである。
【０００５】
その他、人の行動分析に関連する技術が特許文献３及び特許文献４に開示されている。
【先行技術文献】
【特許文献】
【０００６】
【特許文献１】特開２００２−９５０５８号公報
【特許文献２】特開２００５−３５４４９０号公報
【特許文献３】特開昭６２−１０６７４２号公報
【特許文献４】特開平１０−２４０２６号公報
【発明の概要】
【発明が解決しようとする課題】
【０００７】
特許文献１及び特許文献２に記載されている技術は、使用者が携帯情報端末を使用した時刻と場所とを証明することは可能であるが、携帯情報端末を使用していない間の証明はできず不連続な証明となる。また、携帯情報端末を使用した時刻と場所との証明はできても、その時刻にその場所で行っていた行動を証明することはできない。更に、その時刻のその場所の温度、湿度、気圧、及び騒音等の環境を証明することもできない。
【０００８】
本発明の目的は、携帯情報端末の使用者が、特定の時刻から特定の時刻まで連続して、何処で、どのような行動をしていたのかを、使用者の周囲の環境も含めて客観的に証明することができる行動／環境証明システムを提供することにある。
【課題を解決するための手段】
【０００９】
本発明の行動／環境証明システムは、時刻ｔ１から時刻ｔ２の間における、使用者の情報を取得する携帯情報端末と、ネットワークを介して使用者の情報を携帯情報端末から取得する管理サーバとを具備する。携帯情報端末は、使用者の指を検知し、時刻ｔ１から時刻ｔ２の間の第１検知結果を生成する検知部と、指の指紋を読み取り、時刻ｔ１の第１指紋データと、時刻ｔ２の第２指紋データとを生成する読取部と、第１指紋データと予め格納されている第３指紋データとを照合し、時刻ｔ１の第１認証結果を生成し、第２指紋データと第３指紋データとを照合し、時刻ｔ２の第２認証結果を生成する照合部と、携帯情報端末の時刻ｔ１の第１測位データと、時刻ｔ２の第２測位データとを、ＧＰＳ衛星から取得するＧＰＳ受信部と、携帯情報端末の振動の大きさ及び振動の回数を測定し、時刻ｔ１から時刻ｔ２の間の振動データを生成する加速度測定部と、携帯情報端末の周囲の音を測定し、時刻ｔ１から時刻ｔ２の間の音声データを生成する音声取得部と、携帯情報端末の周囲の温湿度を測定し、時刻ｔ１から時刻ｔ２の間の温湿度データを生成する温湿度測定部と、携帯情報端末の周囲の気圧を測定し、時刻ｔ１から時刻ｔ２の間の気圧データを生成する気圧測定部と、使用者の情報である、第１検知結果と、第１指紋データと、第２指紋データと、第１認証結果と、第２認証結果と、第１測位データと、第２測位データと、振動データと、音声データと、温湿度データと、気圧データとを格納する記憶部と、第１認証結果と、第２認証結果と、第１測位データと、第２測位データとに基づいて、時刻ｔ１及び時刻ｔ２の使用者の所在地を証明し、第１認証結果と、第２認証結果と、音声データと、温湿度データと、気圧データとに基づいて、時刻ｔ１から時刻ｔ２の間の使用者の周囲の環境を証明し、第１検知結果と、第１指紋データと、第２指紋データと、振動データとに基づいて、時刻ｔ１から時刻ｔ２の間における使用者の行動を証明する証明部と、使用者の情報を管理サーバへ送信する通信部とを具備する。
【００１０】
本発明の行動証明方法は、時刻ｔ１において、携帯情報端末を操作する使用者の指を検知するステップと、指の検知に基づいて、時刻ｔ１から検知結果の生成を開始するステップと、使用者の入力に基づき、時刻ｔ１の第１トリガー信号を出力するステップと、第１トリガー信号に基づき、指の指紋を読み取り、時刻ｔ１の第１指紋データを生成するステップと、第１指紋データと予め格納されている第３指紋データとに基づき、第１指紋データの第１認証結果を生成するステップと、第１トリガー信号に基づき、携帯情報端末の時刻ｔ１の第１測位データをＧＰＳ衛星から取得するステップと、第１トリガー信号に基づき、携帯情報端末の振動の大きさ及び振動の回数である振動データの生成を、時刻ｔ１から開始するステップと、第１トリガー信号に基づき、携帯情報端末の周囲の音に基づく音声データの生成を時刻ｔ１から開始するステップと、第１トリガー信号に基づき、携帯情報端末の周囲の温湿度に基づく温湿度データの生成を時刻ｔ１から開始するステップと、第１トリガー信号に基づき、携帯情報端末の周囲の気圧に基づく気圧データの生成を時刻ｔ１から開始するステップと、使用者の入力に基づき、時刻ｔ２の第２トリガー信号を出力するステップと、生成している検知結果から時刻ｔ１から時刻ｔ２までの第１検知結果を抽出するステップと、第２トリガー信号に基づき、指の指紋を読み取り、時刻ｔ２の第２指紋データを生成するステップと、第２指紋データと第３指紋データとに基づき、第２指紋データの第２認証結果を生成するステップと、第２トリガー信号に基づき、携帯情報端末の時刻ｔ２の第２測位データを、ＧＰＳ衛星から取得するステップと、第２トリガー信号に基づき、時刻ｔ２において振動データの生成を終了するステップと、第２トリガー信号に基づき時刻ｔ２において音声データの生成を終了するステップと、第２トリガー信号に基づき、時刻ｔ２において温湿度データの生成を終了するステップと、第２トリガー信号に基づき、時刻ｔ２において気圧データの生成を終了するステップと、第１認証結果と、第２認証結果と、第１測位データと、第２測位データとに基づいて、時刻ｔ１及び時刻ｔ２の使用者の所在地を証明するステップと、第１認証結果と、第２認証結果と、音声データと、温湿度データと、気圧データとに基づいて、時刻ｔ１から時刻ｔ２の間の使用者の周囲の環境を証明するステップと、第１検知結果と、第１指紋データと、第２指紋データと、振動データとに基づいて、時刻ｔ１から時刻ｔ２の間における使用者の行動を証明するステップと、第１検知結果と、第１指紋データと、第２指紋データと、第１認証結果と、第２認証結果と、第１測位データと、第２測位データと、振動データと、音声データと、温湿度データと、気圧データとを管理サーバへ送信するステップとを具備する。
【発明の効果】
【００１１】
本発明の行動／環境証明システムは、携帯情報端末の使用者が、特定の時刻から特定の時刻まで連続して、何処で、どのような行動をしていたのかを、使用者の周囲の環境も含めて客観的に証明することができる。
【図面の簡単な説明】
【００１２】
【図１】図１は、本発明の実施の形態による行動／環境証明システム１０の構成例を示すブロック図である。
【図２Ａ】図２Ａは、指紋認証部１が生成した時刻ｔ１における使用者の指紋データである。
【図２Ｂ】図２Ｂは、指紋認証部１が生成した時刻ｔ２における使用者の指紋データである。
【図３】図３は、行動／環境証明システム１０の実施の形態における、ハードウエア構成例を示すブロック図である。
【図４Ａ】図４Ａは、携帯情報端末２０の外観例を示した図である。
【図４Ｂ】図４Ｂは、図４Ａの反対側を示した図である。
【図５】図５は、本発明の実施の形態による行動／環境証明システム１０の処理動作を示すフローチャートである。
【発明を実施するための形態】
【００１３】
添付図面を参照して、本発明の実施の形態による行動／環境証明システムを説明する。
【００１４】
図１は、本発明の実施の形態による行動／環境証明システム１０の構成例を示すブロック図である。図１を参照すると、行動／環境証明システム１０は、携帯情報端末２０と、管理サーバ３０とを具備する。携帯情報端末２０と、管理サーバ３０とはネットワーク４０を介して接続される。
【００１５】
携帯情報端末２０は、携帯電話機、携帯ゲーム機などの通信を行える端末装置である。携帯情報端末２０は、使用者が何時、何処で、どのような行動を、どのような環境で行ったのかを示す使用者の情報を取得し、使用者の所在地と、周囲の環境と、行動とを証明する。また、携帯情報端末２０は、使用者の情報を管理サーバ３０へ送信することができる。携帯情報端末２０は、指紋認証部１と、操作部２と、測定部３と、記憶部４と、証明部５と、出力部６と、通信部７とを備える。図１は、本発明の行動／環境証明システム１０に関わる構成が示されており、電話機能や、ゲーム機能などの各種機能を実現するための構成は省略されている。
【００１６】
指紋認証部１は、携帯情報端末２０を操作する使用者の指紋認証を行う。指紋認証部１によって、使用者は特定される。指紋認証部１は、検知部１１と、読取部１２と、照合部１３とを含む。
【００１７】
検知部１１は、携帯情報端末２０の使用者の指を検知し、検知結果を生成する。検知部１１は、検知結果を測定部３に含まれる時計部３ｃの時刻と関連づけて、読取部１２及び記憶部４へ提供する。検知部１１は、指を検知すると検知結果（指を検知している情報）の生成を開始して、任意の時間間隔で時計部３ｃの時刻と関連付けることができる。もしくは、検知部１１は、指を検知すると検知結果（指を検知している情報）を生成し、指を検知できなくなると再び検知結果（指を検知できない情報）を生成して、それぞれの検知結果を時計部３ｃの時刻と関連付けてもよい。この様に、検知部１１が検知結果と時刻とを関連付けることで、記憶部４は使用者が連続して携帯情報端末２０に触れていた時刻を記録することができる。
【００１８】
読取部１２は、検知部１１が指を検知している状態で、操作部２のトリガースイッチ部２ａが提供するトリガー信号を取得すると、指の指紋を読み取り、指紋データを生成する。読取部１２は、生成した指紋データを時計部３ｃの時刻と関連付けて照合部１３及び記憶部４へ提供する。読取部１２は、検知部１１が指を検知しない場合、指紋の読み取りを開始しないことが好ましい。尚、携帯情報端末２０の構造において検知部１１と読取部１２とは近接して設置され、検知された指と、読み取る指とが同一であることが好ましい。
【００１９】
照合部１３は、読取部１２から指紋データを取得する。照合部１３は、取得した指紋データと、予め格納している指紋データとが一致するか否かを照合し、認証結果を生成する。指紋データが一致する認証結果によって、使用者は特定される。照合部１３は認証結果を時計部３ｃの時刻と関連付けて記憶部４へ提供する。
【００２０】
操作部２は、使用者の入力を取得し、行動／環境証明システム１０の各部へ提供する。操作部２は、トリガースイッチ部２ａを含む。トリガースイッチ部２ａは、使用者の入力に基づいて、指紋認証部１と、測定部３とに、トリガー信号を出力する。指紋認証部１と、測定部３は、トリガー信号に基づいて動作する。
【００２１】
測定部３は、携帯情報端末２０の使用者の所在地と、周囲の環境と、行動とを証明するための各種データを測定する。測定部３は、ＧＰＳ（Ｇｌｏｂａｌ  Ｐｏｓｉｔｉｏｎｉｎｇ  Ｓｙｓｔｅｍ）受信部３ａと、加速度測定部３ｂと、時計部３ｃと、音声取得部３ｄと、温湿度測定部３ｅと、気圧測定部３ｆとを含む。
【００２２】
ＧＰＳ受信部３ａは、トリガー信号を取得すると、ＧＰＳ衛星の電波を受信して、測位データを取得する。ＧＰＳ受信部３ａは、取得した測位データと、時計部３ｃ又はＧＰＳ衛星の時刻とを関連付けて記憶部４へ提供する。
【００２３】
加速度測定部３ｂは、トリガー信号を取得すると、携帯情報端末２０の振動の大きさ及び振動の回数の測定を開始し、振動データの生成を開始する。また、加速度測定部３ｂは、振動データの生成中にトリガー信号を取得すると、振動データの生成を終了する。加速度測定部３ｂは、振動データを生成している間、任意の時間間隔で、振動データを時計部３ｃの時刻と関連付けて記憶部４へ提供する。また、加速度測定部３ｂは、振動データの生成を終了した場合は、データの生成が終了した情報を記憶部４へ提供することが好ましい。尚、出力部６は、加速度測定部３ｂが振動データを生成中であることを使用者に認識させるために、生成中であることを表示することが好ましい。
【００２４】
時計部３ｃは、時刻を各部へ提供する。音声取得部３ｄは、トリガー信号を取得すると、携帯情報端末２０の周囲の騒音や使用者の声などの音の測定を開始し、音声データの生成を開始する。また、音声取得部３ｄは、音声データの生成中にトリガー信号を取得すると、音声データの生成を終了する。音声取得部３ｄは、音声データを生成している間、任意の時間間隔で、音声データを時計部３ｃの時刻と関連付けて記憶部４へ提供する。また、音声取得部３ｄは、音声データの生成を終了した場合は、データの生成が終了した情報を記憶部４へ提供することが好ましい。尚、出力部６は、音声取得部３ｄが音声データを生成中であることを使用者に認識させるために、生成中であることを表示することが好ましい。
【００２５】
温湿度測定部３ｅは、トリガー信号を取得すると、携帯情報端末２０の周囲の温湿度の測定を開始し、温湿度データの生成を開始する。また、温湿度測定部３ｅは、温湿度データの生成中にトリガー信号を取得すると、温湿度データの生成を終了する。温湿度測定部３ｅは、温湿度データを生成している間、任意の時間間隔で、温湿度データを時計部３ｃの時刻と関連付けて記憶部４へ提供する。また、温湿度測定部３ｅは、温湿度データの生成を終了した場合は、データの生成が終了した情報を記憶部４へ提供することが好ましい。尚、出力部６は、温湿度測定部３ｅが温湿度データを生成中であることを使用者に認識させるために、生成中であることを表示することが好ましい。
【００２６】
気圧測定部３ｆは、トリガー信号を取得すると、携帯情報端末２０の周囲の気圧の測定を開始し、気圧データの生成を開始する。また、気圧測定部３ｆは、気圧データの生成中にトリガー信号を取得すると、気圧データの生成を終了する。気圧測定部３ｆは、気圧データを生成している間、任意の時間間隔で、気圧データを時計部３ｃの時刻と関連付けて記憶部４へ提供する。また、気圧測定部３ｆは、気圧データの生成を終了した場合は、データの生成が終了した情報を記憶部４へ提供することが好ましい。尚、出力部６は、気圧測定部３ｆが気圧データを生成中であることを使用者に認識させるために、生成中であることを表示することが好ましい。
【００２７】
記憶部４は、使用者の所在地と、使用者の行動と、使用者の周囲の環境とを証明するための使用者の情報を格納する。使用者の情報には、指紋認証部１から提供される時刻と関連付けられた、検知結果と、指紋データと、認証結果とが含まれる。更に、使用者の情報には、ＧＰＳ受信部３ａから提供される時刻と関連付けられた測位データ、加速度測定部３ｂから任意の時間間隔で提供される時刻と関連付けられた振動データ、音声取得部３ｄから任意の時間間隔で提供される時刻と関連付けられた音声データ、温湿度測定部３ｅから任意の時間間隔で提供される時刻と関連付けられた温湿度データ、及び、気圧測定部３ｆから任意の時間間隔で提供される時刻と関連付けられた気圧データが含まれる。また、使用者の情報には、後述する証明部５が証明できた内容も含まれる。尚、音声データと、温湿度データと、気圧データとは、周囲の環境を示す情報であるため、環境情報と称する。
【００２８】
証明部５は、記憶部４に格納されている使用者の情報に基づいて、特定の時刻間の使用者の所在地と、使用者の行動と、使用者の周囲の環境とを証明する。以下に４つの具体例を挙げて、証明部５の証明方法を説明する。
【００２９】
第１の事例：証明部５は、時刻ｔ１において、使用者がＡ地点にいたことを証明することができる。尚、携帯情報端末２０は、時刻ｔ１のときに、使用者の操作に基づいてトリガー信号を出力し、認証結果の取得と、測位データの取得と、環境情報の取得とを既に行っている。証明部５は、使用者の操作に基づいて時刻ｔ１を取得すると、記憶部４を参照し、時刻ｔ１で、使用者が認証されていることと、使用者がいたＡ地点と、使用者の周囲の環境（騒音、温湿度、気圧）とを抽出し、出力部６へ提供する。証明部５の抽出に基づいて、時刻ｔ１における使用者の所在地及び周囲の環境は証明される。尚、証明部５は、記憶部４に時刻ｔ１の使用者の情報が格納されたことに基づいて、時刻ｔ１における使用者の所在地及び周囲の環境を抽出してもよい。
【００３０】
第２の事例：証明部５は、時刻ｔ１において使用者がＡ地点にいて、時刻ｔ２においてＢ地点にいたことを証明することができる。尚、携帯情報端末２０は、時刻ｔ１及び時刻ｔ２の２点のそれぞれにおいて、認証結果の取得と、測位データの取得と、環境情報の取得とを既に行っている。証明部５は、使用者の操作に基づいて時刻ｔ１及び時刻ｔ２を取得すると、記憶部４を参照し、時刻ｔ１及び時刻ｔ２で、使用者が認証されていることを抽出する。更に、証明部５は、時刻ｔ１の所在地のＡ地点と、時刻ｔ２の所在地のＢ地点とを抽出する。また、証明部５は、時刻ｔ１の周囲の環境と、時刻ｔ２の周囲の環境とを抽出する。証明部５は、抽出した使用者の情報を出力部６へ提供する。証明部５の抽出に基づいて、時刻ｔ１と時刻ｔ２における使用者の所在地及び周囲の環境は証明される。尚、証明部５は、記憶部４に時刻ｔ１及び時刻ｔ２の使用者の情報が格納されたことに基づいて、時刻ｔ１及び時刻ｔ２における使用者の所在地及び周囲の環境を抽出してもよい。
【００３１】
第３の事例：証明部５は、時刻ｔ１から時刻ｔ２の間、使用者が連続してＡ地点にいたことを証明することができる。尚、携帯情報端末２０は、時刻ｔ１及び時刻ｔ２の２点で、指紋データと、認証結果の取得と、測位データの取得とを既に行っている。また、携帯情報端末２０は、連続した情報として、時刻ｔ１から時刻ｔ２の間の検知結果と、時刻ｔ１から時刻ｔ２の間の振動データと、時刻ｔ１から時刻ｔ２の間の環境情報とを取得している。証明部５は、使用者の操作に基づいて時刻ｔ１及び時刻ｔ２を取得すると、記憶部４を参照し、時刻ｔ１及び時刻ｔ２で、使用者が認証されていることを抽出する。更に、証明部５は、時刻ｔ１の所在地のＡ地点と、時刻ｔ２の所在地のＡ地点とを抽出する。ここで、証明部５は、抽出した２つの場所が同じＡ地点であることに基づいて、使用者が時刻ｔ１と時刻ｔ２においてＡ地点にいたことを証明する。尚、証明部５は、記憶部４に時刻ｔ１及び時刻ｔ２の使用者の情報が格納されたことに基づいて、時刻ｔ１及び時刻ｔ２における使用者の所在地を抽出してもよい。この事例では更に、証明部５は、使用者がＡ地点に居続けたことを証明しなければならない。そのため、証明部５は、携帯情報端末２０がＡ地点から移動していないことと、移動していない携帯情報端末２０を使用者が持ち続けていたことの２つの判定によって、Ａ地点に居続けたことを証明する。
【００３２】
まず、証明部５が、時刻ｔ１から時刻ｔ２の間でＡ地点から携帯情報端末２０が移動していないことを判定する方法を説明する。証明部５は、記憶部４を参照して、時刻ｔ１から時刻ｔ２の間の振動データを取得し、振動の大きさ及び振動の回数が所定の範囲内であるか否かを判定する。証明部５は、振動データが所定の範囲内であれば、携帯情報端末２０は移動していないと判定し、所定の範囲にない場合は移動したものと判定する。証明部５が正確に携帯情報端末２０の移動を判定するために、加速度測定部３ｂの測定精度を向上させて僅かな振動を探知できるようにすることが好ましい。但し、使用者は携帯情報端末２０の振動を抑えて、車で移動することも考えられる。そこで、証明部５は、使用者が車で移動したことを判定できるように、人間の動きによる振動と車の動きによる振動の違いを周波数によって識別できることが好ましい。このように、証明部５は、時刻ｔ１から時刻ｔ２の間の振動データに基づいて、時刻ｔ１から時刻ｔ２の間の携帯情報端末２０の移動を判定することができる。
【００３３】
次に、証明部５が、携帯情報端末２０を使用者が持ち続けていたことを判定する方法を説明する。証明部５は、使用者が携帯情報端末２０に触れ続けていたことと、更に、触れている指が動いていないことの２つの判定が得られた場合、使用者が携帯情報端末２０を持ち続けていたと判定する。
【００３４】
証明部５は、時刻ｔ１及び時刻ｔ２を取得すると、記憶部４を参照して、時刻ｔ１から時刻ｔ２の間の検知結果を抽出し、検知結果に指を検知できない情報が含まれるか否かを検索する。証明部５は、検知結果に指を検知できない情報が含まれない場合、時刻ｔ１から時刻ｔ２の間、使用者が携帯情報端末２０に触れ続けていたと判定する。証明部５は、検知結果に指を検知できない情報を抽出すると、時刻ｔ１から時刻ｔ２の間、使用者が携帯情報端末２０に触れ続けていなかったと判定する。
【００３５】
しかし、使用者が何らかの道具で検知部１１の検知を維持させておくような細工をし、使用者が時刻ｔ１で持っていた携帯情報端末２０を一度離して、時刻ｔ２で再度持ち直すことも考えられる。従って、検知部１１の検知のみで、使用者が携帯情報端末２０を持ち続けていたと判定するのは十分ではない。そこで、証明部５は、指紋データという不正しにくい情報に基づいて指の動きを判定し、使用者が携帯情報端末２０を持ち続けていたことの信頼性を向上させる。証明部５は、記憶部４を参照して、時刻ｔ１と時刻ｔ２との２つの指紋データを取得する。証明部５は、２つの指紋データに基づいて、使用者の指がどの程度動いたのかを算出する。指の動きの算出方法は後述する。証明部５は、指の動きが所定の範囲内であれば、使用者の指は動いていないと判定する。証明部５は、指の動きが所定の範囲内になければ、使用者の指が動いたと判定する。証明部５は、使用者が携帯情報端末２０に触れ続けていたことと、触れている指が動いていないことの２つの判定に基づいて、使用者が携帯情報端末２０を持ち続けていたと判定する。
【００３６】
また、証明部５は、時刻ｔ１から時刻ｔ２の間の環境情報を取得しているため、周囲の音の変化、温湿度の変化、気圧の変化を証明することができる。環境の変化に基づいて、例えば、使用者が騒音の大きい場所から小さい場所へ移動したことや、空調の効いている場所へ移動したことなどが証明される。証明部５は、周囲の環境変化という情報によって、使用者が時刻ｔ１から時刻ｔ２の間に連続してＡ地点にいたことを、客観性を向上させて証明することができる。
【００３７】
以上のように、証明部５は、時刻ｔ１及び時刻ｔ２の２点において使用者がＡ地点にいたことを、時刻ｔ１及び時刻ｔ２の認証結果と、時刻ｔ１及び時刻ｔ２の測位データで証明する。また、証明部５は、時刻ｔ１から時刻ｔ２の間の振動データ、時刻ｔ１から時刻ｔ２の間の検知結果、及び、時刻ｔ１と時刻ｔ２との２つの指紋データのずれに基づいて、使用者がＡ点に居続けたこと（使用者の行動）を証明する。更に、証明部５は、時刻ｔ１から時刻ｔ２の間の環境情報に基づいて、使用者の周囲の環境変化を証明する。証明部５は、所在地と、行動と、周囲の環境とを含む証明できた内容を記憶部４及び出力部６へ提供する。この様にして、証明部５は、時刻ｔ１から時刻ｔ２の間において、使用者が連続してＡ地点にいたことを証明することができる。尚、使用者は、証明の精度を高めるために、短い間隔（時刻ｔ１と時刻ｔ２の間隔）で証明を行うことが好ましい。
【００３８】
尚、前述した第３の事例の場合、時刻ｔ１と時刻ｔ２の間に数十回も数百回も指紋認証の取得と、測位データの取得とを行うことでも、時刻間の所在地の証明は可能である。しかし、数十回も数百回も指紋認証と測位データの取得とを行うことは、非効率であり好ましくない。本発明の行動／環境証明システム１０は、第３の事例のような、特定の時刻間における使用者の所在地を効率よく証明することができる。
【００３９】
ここで、証明部５が、指の動きが所定の範囲内であれば、指は動いていないと判定する方法を説明する。図２Ａは、指紋認証部１が生成した時刻ｔ１における使用者の指紋データである。図２Ｂは、指紋認証部１が生成した時刻ｔ２における使用者の指紋データである。図２Ａ及び図２Ｂを参照すると、指紋データは複数の特徴点（中心点、三角州、端点、分岐点）を含む。□は指紋の中心点を表し、△は指紋の三方向からの集まりの三角州を表し、○は指紋の凸部模様の行き止まりの端点を表し、×は指紋の凸部模様の枝分かれの分岐点を表す。
【００４０】
証明部５は、使用者の入力に基づく時刻ｔ１及び時刻ｔ２を取得すると、記憶部４を参照し、時刻ｔ１及び時刻ｔ２に取得された指紋データを取得する。証明部５は、平行移動と回転を組み合わせて、時刻ｔ２の指紋データ（図２Ｂ）を時刻ｔ１の指紋データ（図２Ａ）に重ね合わせ、平行移動距離ｘと回転角θとを算出する。詳細には、証明部５は、指紋の特徴点が全て重なる平行移動距離ｘと回転角θとを算出する。記憶部４は、指が動いていないと判定するための所定の範囲を保持する。所定の範囲は、平行移動距離ｘと回転角θ（例えば、ｘ≦３００ミクロン、θ≦３°）で表される。証明部５は、算出した値と所定の範囲とを比較して、指が動いたか否かを判定することができる。
【００４１】
第４の事例：証明部５は、時刻ｔ１において使用者がＡ地点にいて、時刻ｔ２においてＢ地点にいたことと、Ａ地点からＢ地点までの使用者の行動とを証明することができる。尚、携帯情報端末２０は、時刻ｔ１及び時刻ｔ２の２点のそれぞれにおいて、認証結果の取得と、測位データの取得とを既に行っている。また、携帯情報端末２０は、連続した情報として、時刻ｔ１から時刻ｔ２の間の検知結果と、時刻ｔ１から時刻ｔ２の間の振動データと、時刻ｔ１から時刻ｔ２の間の環境情報とを取得している。証明部５は、使用者の操作に基づいて時刻ｔ１及び時刻ｔ２を取得すると、記憶部４を参照し、時刻ｔ１及び時刻ｔ２で、使用者が認証されていることを抽出する。更に、証明部５は、時刻ｔ１の所在地のＡ地点と、時刻ｔ２の所在地のＢ地点とを抽出する。ここで、証明部５は、使用者が時刻ｔ１でＡ地点に居て、時刻ｔ２でＢ地点に居たことを証明する。尚、証明部５は、記憶部４に時刻ｔ１及び時刻ｔ２の使用者の情報が格納されたことに基づいて、時刻ｔ１及び時刻ｔ２における使用者の所在地を抽出してもよい。この事例では更に、証明部５は、使用者のＡ地点からＢ地点までの行動を証明しなければならない。そのため、証明部５は、携帯情報端末２０の動き（使用者の動作に相当する）と、動いている携帯情報端末２０を使用者が持ち続けていたことの２つの判定によって、使用者の行動を証明する。
【００４２】
証明部５が、時刻ｔ１のＡ地点から時刻ｔ２のＢ地点の間における、携帯情報端末２０の動きを判定する方法を説明する。証明部５は、動きと、動きに伴う振動の大きさ及び振動の回数の振動データとを関連付けた動きデータを有する。例えば、証明部５は、人が歩いているときの振動データ、人が走っているときの振動データ、自転車に乗っているときの振動データ、車に乗っているときの振動データなどを有する。証明部５は、記憶部４を参照して、時刻ｔ１から時刻ｔ２の間の振動データを取得し、取得した振動データが動きデータのどの様な動きに対応するのか否かを判定する。この証明部５の判定に基づいて、携帯情報端末２０の動きを判定することができる。
【００４３】
証明部５が、携帯情報端末２０を使用者が持ち続けていたことを判定する方法は、前述した通りである。従って、証明部５は、時刻ｔ１から時刻ｔ２の間の振動データ、時刻ｔ１から時刻ｔ２の間の検知結果、及び、時刻ｔ１と時刻ｔ２との２つの指紋データのずれに基づいて、携帯情報端末２０の使用者の行動を証明できる。更に、証明部５は、第３の事例と同様に、時刻ｔ１から時刻ｔ２の間の環境の変化を証明することができる。
【００４４】
以上のように、証明部５は、時刻ｔ１において使用者がＡ地点にいて、時刻ｔ２においてＢ地点にいたことを、時刻ｔ１及び時刻ｔ２の認証結果と、時刻ｔ１及び時刻ｔ２の測位データで証明する。また、証明部５は、時刻ｔ１から時刻ｔ２の間の振動データ、時刻ｔ１から時刻ｔ２の間の検知結果、及び、時刻ｔ１と時刻ｔ２との２つの指紋データのずれに基づいて、使用者の行動を証明する。更に、証明部５は、時刻ｔ１から時刻ｔ２の間の環境情報に基づいて、使用者の周囲の環境変化を証明する。証明部５は、所在地と、使用者の行動と、周囲の環境とを含む証明できた内容を記憶部４及び出力部６へ提供する。この様にして、証明部５は、時刻ｔ１において使用者がＡ地点にいて、時刻ｔ２においてＢ地点にいたことと、Ａ地点からＢ地点までの使用者の行動とを証明することができる。尚、使用者は、証明の精度を高めるために、短い間隔（時刻ｔ１と時刻ｔ２の間隔）で証明を行うことが好ましい。
【００４５】
また、証明部５は、時刻ｔ１から時刻ｔ２の間の振動データに基づいて、携帯情報端末２０を持つ使用者の手や腕がどの程度動いたのかを、更に詳細に判定することもできる。証明部５が、動きデータとして、例えば、使用者が暴力行為を行っていない振動データや、痴漢行為を行っていない振動データを有すると、これらの行為の証明に利用できる。尚、動作をより精度良く判定するために、携帯情報端末２０は、複数の指、特に両手の指を検知することが好ましい。
【００４６】
図１を再び参照して、構成の続きを説明する。出力部６は、本発明に係るデータを使用者に認識できるように出力する。
【００４７】
通信部７は、ネットワーク４０を介して接続する管理サーバ３０へ、記憶部４が格納する使用者の情報を送信する。通信部７が送信するデータは、指紋データ、認証結果、検知結果、測位データ、振動データ、環境情報及び証明できた内容が挙げられる。通信部７は、記憶部４にデータが格納されたことを検知して、各種データを管理サーバ３０へ送信することができる。但し、検知結果については、通信部７は記憶部４が認証結果を取得したことに基づいて、前回の認証結果を取得した時間から今回取得した時間までを抽出して送信することや、任意の時間間隔分の検知結果を抽出して送信する方法でもよい。更に、通信部７は、振動データ及び環境情報については、記憶部４が取得するデータの生成が終了した情報に基づいて、管理サーバ３０へ送信する方法でもよい。また、通信部７は、管理サーバ３０が証明した内容を受信することもできる。尚、ＧＰＳ受信部３ａがＧＰＳ信号を受信できない状況下にある時、通信部７が基地局間の受信電力や位相のずれから位置の情報を計算し、記憶部４へ提供してもよい。
【００４８】
また、本発明の携帯情報端末２０は、指紋認証部１の他に、静脈認証部、虹彩認証部、顔認証部、音声認証部などの生体認証部をさらに備えてもよい。携帯情報端末２０は、生体認証部を増やすことで、使用者の特定をより正確に行うことが出来る。
【００４９】
管理サーバ３０は、携帯情報端末２０から受信した使用者の情報を格納する。そして、管理サーバ３０は、携帯情報端末２０と同様に、携帯情報端末２０の使用者が何時、何処で、どのような行動を、どのような環境で行ったのかを証明することができる。また、管理サーバ３０は、所在地と、周囲の環境と、行動とを含む証明できた内容を携帯情報端末２０と、ネットワーク４０に接続する端末（図示略）へ提供することができる。管理サーバ３０は、記憶部３１と、証明部３２と、通信部３３とを備える。
【００５０】
記憶部３１は、携帯情報端末２０から受信した使用者の情報を格納する。証明部３２は、携帯情報端末２０の証明部５と同様である。証明部３２は、記憶部３１に格納されている使用者の情報に基づいて、特定の時刻間における携帯情報端末２０の使用者の所在地、使用者の行動、及び周囲の環境を証明することがきる。通信部３３は、ネットワーク４０を介して携帯情報端末２０及びその他の端末と、使用者の情報の送受信をする。
【００５１】
管理サーバ３０は、携帯情報端末２０の使用者から離れた端末であり、証明としてより客観性を持たせる効果を奏する。また、携帯情報端末２０と管理サーバ３０とが同じ使用者の情報を供給することで、データをバックアップする効果も奏する。
【００５２】
本発明の実施の形態による行動／環境証明システム１０の携帯情報端末２０および管理サーバ３０は、コンピュータを用いて実現可能である。図３は、行動／環境証明システム１０の実施の形態における、ハードウエア構成例を示すブロック図である。図３を参照すると、本発明の行動／環境証明システム１０の各装置は、ＣＰＵ（Ｃｅｎｔｒａｌ  Ｐｒｏｃｅｓｓｉｎｇ  Ｕｎｉｔ；中央処理装置）１０１と、記憶装置１０２と、センサ１０３と、ＧＰＳ受信装置１０４と、加速度計１０５と、温湿度計１０６と、気圧計１０７と、入力装置１０８と、出力装置１０９と、各装置を接続するバス１１０とを備えるコンピュータシステムで構成される。尚、管理サーバ３０は、センサ１０３と、ＧＰＳ受信装置１０４、加速度計１０５、温湿度計１０６、及び気圧計１０７を含まなくてもよい。
【００５３】
ＣＰＵ１０１は、記憶装置１０２に格納されている本発明の行動／環境証明システム１０に係る演算処理及び制御処理を行う。記憶装置１０２は、ハードディスクやメモリなど、情報の記録を行う装置である。記憶装置１０２は、ＣＤ−ＲＯＭやＤＶＤ等のコンピュータ読み取り可能な記憶媒体から読み取られたプログラム、ＧＰＳ受信装置１０４、加速度計１０５、温湿度計１０６、気圧計１０７及び入力装置１０８から入力された信号やプログラム、及びＣＰＵ１０１の処理結果を格納する。センサ１０３は、検知部１１に相当し、物体の存在を検知する装置である。ＧＰＳ受信装置１０４は、ＧＰＳ受信部３ａに相当し、ＧＰＳ衛星から測位データを取得する装置である。加速度計１０６は、加速度測定部３ｂに相当し、携帯情報端末２０の振動の大きさ及び振動の回数を測定する装置である。温湿度計１０６は、温湿度測定部３ｅに相当し、周囲の温湿度を測定する装置である。気圧計１０７は、気圧測定部３ｆに相当し、周囲の気圧を測定する装置である。入力装置１０８は、キーボード、ボタン、マイクロフォンなど、ユーザがコマンド及び信号を入力できる装置である。出力装置１０９は、ディスプレイ、スピーカなど、ユーザに出力結果を認識させる装置である。尚、本発明はハードウエア構成例と示したものに限定されず、各部はハードウエアとソフトウエアとを単独又は組み合わせて実現することが出来る。
【００５４】
図４Ａは、携帯情報端末２０の外観例を示した図である。図４Ｂは、図４Ａの反対側を示した図である。図４Ａ及び図４Ｂを参照すると、携帯情報端末２０は折り畳み型の携帯電話機として示されている。図４Ａには、第１面２１と、第２面２２とが示されている。図４Ｂには、第３面２３と、第４面２４とが示されている。指紋認証部１の読取部１２は、使用者が指を接触させやすい場所が好ましく、図４Ａでは第１面２１に設置されている。また、検知部１１は読取部１２の近傍に設置されることが好ましい。図４Ａでは、検知部１１は、読取部１２の中に含まれる例を示している。操作部２は第４面２４に設置されている。操作部２は第４面２４に示されているが、トリガースイッチ部２ａは、第１面２１の読取部１２と同じ位置に設置されてもよい。トリガースイッチ部２ａが読取部１２と同じ位置に設置されると、使用者は読取部１２に指を接触させて、その指を軽く押すことでトリガースイッチ部２ａを入力することができる。
【００５５】
図５は、本発明の実施の形態による行動／環境証明システム１０の処理動作を示すフローチャートである。図５を参照して、行動／環境証明システム１０の処理動作を説明する。
【００５６】
携帯情報端末２０の使用者は、時刻ｔ１において、接触部１１に指を接触させた状態（検知部１１が指を検知した状態）でトリガースイッチ部２ａを操作する。トリガースイッチ部２ａは、使用者の入力に基づいて、指紋認証部１と、測定部３とへトリガー信号を出力する（ステップＳ１０１）。尚、検知部１１は、時刻ｔ１から検知結果の生成を開始し、検知結果を記憶部４へ提供する。検知部１１は、時刻ｔ１から検知し続けていることを任意の時間間隔で提供してもよいし、検知できなくなった場合に再度検知結果を提供してもよい。
【００５７】
読取部１２は、使用者の指紋を読み取り、時刻ｔ１の指紋データを生成する。読取部１２は、時刻ｔ１の指紋データを記憶部４及び照合部１３へ提供する。照合部１３は、取得した時刻ｔ１の指紋データと、予め保持している指紋データとを照合し、認証結果を生成する。照合部１３は、時刻ｔ１の認証結果を記憶部４へ提供する（ステップＳ１０２）。
【００５８】
測定部３は、トリガー信号に基づいて時刻ｔ１におけるデータを取得、或いは測定を開始する。詳細には、ＧＰＳ受信部３ａはトリガー信号に基づいて、ＧＰＳ衛星の電波を受信して、測位データを取得する。ＧＰＳ受信部３ａは、取得した測位データと、時刻ｔ１とを関連付けて記憶部４へ提供する（ステップＳ１０３）。
【００５９】
加速度測定部３ｂは、トリガー信号を取得すると、携帯情報端末２０の振動の大きさ及び振動回数の測定を開始し、振動データの生成を開始する。加速度測定部３ｂは、振動データを生成している間、任意の時間間隔で、振動データを時計部３ｃの時刻と関連付けて記憶部４へ提供する。音声取得部３ｄは、トリガー信号を取得すると、携帯情報端末２０の周囲の騒音や使用者の声などの音の測定を開始し、音声データを生成する。音声取得部３ｄは、音声データを生成している間、任意の時間間隔で、音声データを時計部３ｃの時刻と関連付けて記憶部４へ提供する。温湿度測定部３ｅは、トリガー信号を取得すると、携帯情報端末２０の周囲の温湿度の測定を開始し、温湿度データを生成する。温湿度測定部３ｅは、温湿度データを生成している間、任意の時間間隔で、温湿度データを時計部３ｃの時刻と関連付けて記憶部４へ提供する。気圧測定部３ｆは、トリガー信号を取得すると、携帯情報端末２０の周囲の気圧の測定を開始し、気圧データを生成する。気圧測定部３ｆは、気圧データを生成している間、任意の時間間隔で、気圧データを時計部３ｃの時刻と関連付けて記憶部４へ提供する（ステップＳ１０４）。尚、ステップＳ１０２〜ステップＳ１０４は順不同である。
【００６０】
記憶部４は、時刻ｔ１の指紋データと、時刻ｔ１の認証結果と、時刻ｔ１の測位データとを格納する。また、記憶部４は、任意の時間間隔で振動データ及び環境情報を取得し、格納する。更に、記憶部４は検知部１１から検知結果を取得し、格納する。通信部７は、記憶部４に格納されている時刻ｔ１の指紋データと、時刻ｔ１の認証結果と、時刻ｔ１の測位データとを抽出し、ネットワーク４０を介して管理サーバ３０へ送信する（ステップＳ１０５）。
【００６１】
携帯情報端末２０の使用者は、時刻ｔ２において、接触部１１に指を接触させた状態（検知部１１が指を検知した状態）でトリガースイッチ部２ａを操作する。トリガースイッチ部２ａは、使用者の入力に基づいて、指紋認証部１と、測定部３とへトリガー信号を出力する（ステップＳ１０６）。尚、検知部１１は、時刻ｔ１からｔ２までの間、指を検知し続けていた検知結果を記憶部４へ提供している。
【００６２】
読取部１２は、使用者の指紋を読み取り、時刻ｔ２の指紋データを生成する。読取部１２は、指紋データを記憶部４及び照合部１３へ提供する。照合部１３は、取得した時刻ｔ２の指紋データと、予め保持している指紋データとを照合し、認証結果を生成する。照合部１３は、時刻ｔ２の認証結果を記憶部４へ提供する（ステップＳ１０７）。
【００６３】
測定部３は、トリガー信号に基づいて時刻ｔ２における測定データを取得、或いは測定中のデータ生成を終了する。詳細には、ＧＰＳ受信部３ａはトリガー信号に基づいて、ＧＰＳ衛星の電波を受信して、測位データを取得する。ＧＰＳ受信部３ａは、取得した測位データと、時刻ｔ２とを関連付けて記憶部４へ提供する（ステップＳ１０８）。
【００６４】
加速度測定部３ｂは、トリガー信号を取得すると、振動データの生成を終了する。同様に、音声取得部３ｄと、温湿度測定部３ｅと、気圧測定部３ｆとは、トリガー信号に基づいて、環境情報の生成を終了する。このとき、各部は、各データの生成を終了した情報を記憶部４へ提供する（ステップＳ１０９）。尚、ステップＳ１０７〜ステップＳ１０９は順不同である。
【００６５】
記憶部４は、時刻ｔ２の指紋データと、時刻ｔ２の認証結果と、時刻ｔ２の測位データとを格納する。尚、記憶部４は、時刻ｔ１から時刻ｔ２の間の振動データと、環境情報と、検知結果とを格納している。通信部７は、記憶部４に格納されている時刻ｔ２の指紋データと、時刻ｔ２の認証結果と、時刻ｔ２の測位データと、時刻ｔ１から時刻ｔ２の間の振動データと、時刻ｔ１から時刻ｔ２の間の環境情報と、時刻ｔ１から時刻ｔ２の間の検知結果とを抽出し、ネットワーク４０を介して管理サーバ３０へ送信する（ステップＳ１１０）。
【００６６】
証明部５は、使用者の時刻ｔ１と時刻ｔ２の入力に基づいて、時刻ｔ１及び時刻ｔ２を取得する。証明部５は、時刻ｔ１から時刻ｔ２の間における、使用者の所在地と、周囲の環境と、行動とを証明する。もしくは、証明部５は、時刻ｔ１及び時刻ｔ２の使用者の情報が記憶部４へ格納されたことに基づいて、時刻ｔ１から時刻ｔ２の間における使用者の所在地と、行動と、周囲の環境とを証明してもよい。（ステップＳ１１１）。詳細には、証明部５は、時刻ｔ１及び時刻ｔ２を取得すると、記憶部４を参照し、時刻ｔ１及び時刻ｔ２で、使用者が認証されていることを抽出する。同様に、証明部５は、時刻ｔ１における使用者の所在地と、時刻ｔ２における使用者の所在地とを抽出する。また、証明部５は、時刻ｔ１から時刻ｔ２の間の検知結果と、時刻ｔ１の指紋データと、時刻ｔ２の指紋データと、時刻ｔ１から時刻ｔ２の間の振動データとを抽出し、時刻ｔ１から時刻ｔ２の間における使用者の行動を証明する。更に、証明部５は、時刻ｔ１から時刻ｔ２の間の環境情報を抽出し、時刻ｔ１から時刻ｔ２の間の使用者の周囲の環境変化を証明する。証明部５は、時刻ｔ１と時刻ｔ２の所在地と、時刻ｔ１から時刻ｔ２の間の使用者の行動と、時刻ｔ１から時刻ｔ２の周囲の環境とを含む証明できた内容を記憶部４及び出力部６へ提供する。証明部５によって、時刻ｔ１から時刻ｔ２の間において、使用者の所在地と、行動と、周囲の環境とは証明される。また、ステップＳ１１１は、管理サーバ３０の証明部３２が同様の処理をしてもよい。この場合、証明部３２は、時刻ｔ１及び時刻ｔ２を取得して、記憶部３１を参照し、証明部５と同様の処理を行う。
【００６７】
記憶部４は、証明部５が証明できた内容を格納する。通信部７は、記憶部４を参照し、証明できた内容を管理サーバ３０へ送信する（ステップＳ１１２）。ステップＳ１１１を管理サーバ３０が行う場合は、管理サーバ３０は、携帯情報端末２０及びその他のネットワーク４０に接続する端末へ証明できた内容を送信する。
【００６８】
以上、本発明の行動／環境証明システム１０は、携帯情報端末２０の使用者が、特定の時刻間、何処で、どのような行動をしていたのかを、周囲の環境（騒音、温湿度、気圧）も含めて、第３者の証言に頼らずに客観的に証明することが可能である。本発明の行動／環境証明システム１０は、携帯情報端末２０の使用者が事件等に巻き込まれた場合に、第３者の証言が得られなくても、特定の時刻間に、何処で、どのような行動を、どのような環境において行っていたのかを客観的に証明することができるため、使用者の潔白を証明しやすくなる。
【符号の説明】
【００６９】
１      指紋認証部
２      操作部
２ａ    トリガースイッチ部
３      測定部
３ａ    ＧＰＳ受信部
３ｂ    加速度測定部
３ｃ    時計部
３ｄ    音声取得部
３ｅ    温湿度測定部
３ｆ    気圧測定部
４      記憶部
５      証明部
６      出力部
７      通信部
１０    行動／環境証明システム
１１    検知部
１２    読取部
１３    照合部
２０    携帯情報端末
３０    管理サーバ
３１    記憶部
３２    証明部
３３    通信部
４０    ネットワーク
１０１  ＣＰＵ
１０２  記憶装置
１０３  センサ
１０４  ＧＰＳ受信装置
１０５  加速度計
１０６  温湿度計
１０７  気圧計
１０８  入力装置
１０９  出力装置
１１０  バス
【図１】
2010239402.tif 000003
【図２Ａ】
2010239402.tif 000004
【図２Ｂ】
2010239402.tif 000005
【図３】
2010239402.tif 000006
【図４Ａ】
2010239402.tif 000007
【図４Ｂ】
2010239402.tif 000008
【図５】
2010239402.tif 000009